(57)【要約】【課題】楽音情報や各種信号等の収録内容や製造ロットナンバー等の表示を形成することが可能で視認性に優れ、且つ良好な記録再生特性を有する光記録媒体を提供することを目的とする。【解決手段】記録層が色素材料より成り、第１のデータが記録される記録領域１と、記録領域１の内周側に第２のデータによってグルーブの少なくとも一部がウォブル変調されているデータ領域２とを備えている光記録媒体であって、データ領域２より内周側に内周側領域３を設け、内周側領域３にグルーブを形成し、少なくとも一部のグルーブに、ウォブルの有無又はウォブルの振幅量の大小によって、記録された情報信号の内容を表示する表示パターン１０を形成する。【選択図】      図１
2005011450.tif 000002
【特許請求の範囲】
【請求項１】
記録層が塗布により形成されて成り、第１のデータが記録される記録領域と、上記記録領域の内周側に第２のデータによってグルーブの少なくとも一部がウォブル変調されているデータ領域とを備えている光記録媒体であって、
上記データ領域より内周側に内周側領域が設けられ、
上記内周側領域にグルーブが形成され、少なくとも一部の上記グルーブに、ウォブルの有無又はウォブルの振幅量の大小によって、記録された情報信号の内容を表示する表示パターンが形成されて成ることを特徴とする光記録媒体。
【請求項２】
上記内周側領域のグルーブの上記表示パターンの表示部分が矩形ウォブルにより形成され、上記内周側領域の上記表示パターンの形成されていない領域は、ウォブルのないグルーブ又は正弦波状ウォブルにより変調されたグルーブであることを特徴とする請求項１に記載の光記録媒体。
【請求項３】
上記内周側領域のグルーブの上記表示パターンの表示部分が矩形ウォブルにより形成され、その振幅ａと上記グルーブのトラックピッチＴｐとの比ａ／Ｔｐが、７．０２以上３９．９以下とされることを特徴とする請求項１に記載の光記録媒体。
【請求項４】
上記内周側領域のグルーブの上記表示パターンの表示部分が矩形ウォブルとされ、その振幅ａと上記グルーブのトラックピッチＴｐとの比ａ／Ｔｐが、７．０２以上３９．９以下とされることを特徴とする請求項２に記載の光記録媒体。
【請求項５】
上記内周側領域のグルーブの上記表示パターンの表示部分が矩形ウォブルにより形成され、上記内周側領域の上記表示パターンの形成されていない領域は正弦波状ウォブルに変調されたグルーブとされ、上記矩形波の振幅ａと、上記正弦波の振幅ｂとの比ａ／ｂが、５．２倍以上であることを特徴とする請求項１に記載の光記録媒体。
【請求項６】
上記内周側領域のグルーブの上記表示パターンの表示部分が矩形ウォブルにより形成され、上記内周側領域の上記表示パターンの形成されていない領域は正弦波状ウォブルに変調されたグルーブとされ、上記矩形波の振幅ａと、上記正弦波の振幅ｂとの比ａ／ｂが、５．２倍以上であることを特徴とする請求項２に記載の光記録媒体。
【請求項７】
上記内周側領域のグルーブの上記表示パターンの表示部分が矩形ウォブルにより形成され、上記内周側領域の上記表示パターンの形成されていない領域は正弦波状ウォブルに変調されたグルーブとされ、上記矩形波の振幅ａと、上記正弦波の振幅ｂとの比ａ／ｂが、５．２倍以上であることを特徴とする請求項３に記載の光記録媒体。
【請求項８】
上記内周側領域のグルーブの上記表示パターンの表示部分が矩形ウォブルにより形成され、上記内周側領域の上記表示パターンの形成されていない領域は正弦波状ウォブルに変調されたグルーブとされ、上記矩形波の振幅ａと、上記正弦波の振幅ｂとの比ａ／ｂが、５．２倍以上であることを特徴とする請求項４に記載の光記録媒体。
【請求項９】
上記内周側領域のグルーブの開始半径が、上記記録領域の最内周記録部分より４．１ｍｍ以上１０．１ｍｍ以下内側とされて成ることを特徴とする請求項１に記載の光記録媒体。
【請求項１０】
上記内周側領域のグルーブの開始半径が、上記記録領域の最内周記録部分より４．１ｍｍ以上１０．１ｍｍ以下内側とされて成ることを特徴とする請求項２に記載の光記録媒体。
【請求項１１】
上記内周側領域のグルーブの開始半径が、上記記録領域の最内周記録部分より４．１ｍｍ以上１０．１ｍｍ以下内側とされて成ることを特徴とする請求項３に記載の光記録媒体。
【請求項１２】
上記内周側領域のグルーブの開始半径が、上記記録領域の最内周記録部分より４．１ｍｍ以上１０．１ｍｍ以下内側とされて成ることを特徴とする請求項４に記載の光記録媒体。
【請求項１３】
上記内周側領域のグルーブの開始半径が、上記記録領域の最内周記録部分より４．１ｍｍ以上１０．１ｍｍ以下内側とされて成ることを特徴とする請求項５に記載の光記録媒体。
【請求項１４】
上記内周側領域のグルーブの開始半径が、上記記録領域の最内周記録部分より４．１ｍｍ以上１０．１ｍｍ以下内側とされて成ることを特徴とする請求項６に記載の光記録媒体。
【請求項１５】
上記内周側領域のグルーブの開始半径が、上記記録領域の最内周記録部分より４．１ｍｍ以上１０．１ｍｍ以下内側とされて成ることを特徴とする請求項７に記載の光記録媒体。
【請求項１６】
上記内周側領域のグルーブの開始半径が、上記記録領域の最内周記録部分より４．１ｍｍ以上１０．１ｍｍ以下内側とされて成ることを特徴とする請求項８に記載の光記録媒体。
【請求項１７】
第１のデータが記録される記録領域と、上記記録領域より内周側に第２のデータによってグルーブの少なくとも一部がウォブル変調されているデータ領域とを備えている光記録媒体の製造用の光記録媒体用スタンパであって、
上記光記録媒体のデータ領域よりも内周側に内周側領域を設けられ、
上記内周側領域にグルーブが形成され、少なくとも一部の上記グルーブに、ウォブルの有無又はウォブルの振幅量の大小により、記録された情報信号の内容を表示する表示パターンが形成されて成ることを特徴とする光記録媒体用スタンパ。
【請求項１８】
原盤用基板上に感光層が塗布されて、上記感光層に所定のパターンの光を照射して光学記録を行って、第１のデータが記録される記録領域と、上記記録領域より内周側に第２のデータによってグルーブの少なくとも一部がウォブル変調されているデータ領域とを備えている光記録媒体を製造する際に用いる光学記録方法であって、
上記データ領域より内周側に内周側領域を設け、
上記内周側領域にグルーブを形成し、少なくとも一部の上記グルーブに、ウォブルの有無又はウォブルの振幅量の大小によって、記録された情報信号の内容を表示する表示パターンを形成することを特徴とする光学記録方法。
【請求項１９】
光記録媒体に記録された情報信号の内容を表示する光記録媒体の表示方法であって、
上記光記録媒体には、第１のデータが記録される記録領域と、上記記録領域の内周側に第２のデータによってグルーブの少なくとも一部がウォブル変調されているデータ領域とを設け、
上記データ領域より内周側に内周側領域を設け、
上記内周側領域にグルーブを形成して、少なくとも一部の上記グルーブに、ウォブルの有無又はウォブルの振幅量の大小によって、記録された情報信号の内容を表示する表示パターンを形成することを特徴とする光記録媒体の表示方法。
【発明の詳細な説明】
【０００１】
【発明の属する技術分野】
本発明は、各種光ディスクに適用して好適な光記録媒体及びその製造用のスタンパ、光学記録方法、光記録媒体の表示方法に関する。
【０００２】
【従来の技術】
従来、例えば、楽音信号が記録されたレコード盤や光ディスク等の円盤状記録媒体の主面上には、楽音信号の信号記録領域外である内周部に、記録された楽音信号の収録内容や製造ロットナンバー等を示す記号等の表示パターンが刻印によって施されていた。ＣＤやＭＤ、ＤＶＤのような光記録媒体よれば、図６にその要部の拡大平面構成を示すように、記録された楽音情報等の信号の収録内容や製造ロットナンバー等を表示する表示領域（Ｃｈａｒａｃｔｅｒ  Ａｒｅａ）５が、例えば記録領域１の内周側に形成され、表示パターン１０が形成される。この表示領域の表示方法としては、例えば図７にその一例の平面構成を示すように、複数の干渉ピット６０または干渉溝を形成することにより、光の干渉作用によって輝度に差異を生じさせ、これらの干渉ピット等によって構成される干渉パターンを文字や記号として鮮明に視認される構成とする。
【０００３】
このような表示領域５の表示範囲としては、例えばＤＶＤの場合は以下のように選定される。図６においては、図６の紙面の上方を例えば光ディスクの中心分とするものであるが、表示領域５は、例えば半径２０．０ｍｍから２０．８ｍｍの範囲、半径２１．９ｍｍから２３．９５ｍｍの範囲は、ウォブルグルーブやランドプリピット（Ｌａｎｄ  Ｐｒｅ−Ｐｉｔ；ＬＰＰ）により、アドレス情報や録音に必要な情報が記録されるデータ領域２とされている。そして、半径２３．９５ｍｍから５８．６ｍｍの範囲は、ウォブルグルーブによる同期信号およびＬＰＰのアドレス情報を再生しながら、ウォブルグルーブの中に録音するいわゆる記録領域１とされる。
【０００４】
ところで、記録可能な光ディスクの一つであるＤＶＤ‐Ｒの記録層は、色素溶液をスピンコート法により塗布することによって形成される。記録層は、通常、ＤＶＤ−Ｒディスクの最内周の溝（半径２１．９ｍｍ）よりも内周に設けられたミラー部分から塗布が開始される。ところが、スピンコート法による記録層の形成においては、塗布開始付近の記録膜の均一性が低くなるため、最内周記録部分（半径２４ｍｍ）での記録再生特性が悪くなる。記録層の塗布開始位置を、表示領域５から行うと、干渉ピットまたは干渉溝の有無により、記録層の形成において塗布むらを生じ、記録再生特性を更に悪くする。
【０００５】
このような問題を解決するために、例えば最内周溝位置を最内周記録部分の内周位置よりも２ｍｍ以上内周側にして、最内周溝位置と最内周記録部分の領域を従来よりも広くして、記録層の塗り始めの際に生じる不均一部分が最内周記録部分の開始部分に含まれなくなり、最内周記録部分の記録再生特性の劣化を少なくする構成が提案されている（例えば特許文献１参照。）。
【０００６】
この場合、特に好ましい効果を得るためには、最内周溝位置よりも４ｍｍ以上内周側から塗布することが望まれる。このような構成とする場合は、楽音信号の収録内容や製造ロットナンバー等の表示を形成することが困難であった。
【０００７】
【特許文献１】
特開２００１−１９５７７８号公報
【０００８】
【発明が解決しようとする課題】
本発明は、上述の問題に鑑みて、楽音情報や各種信号等の収録内容や製造ロットナンバー等の表示を形成することが可能で視認性に優れ、且つ内周側記録部分の記録再生特性の劣化を抑制して、良好な記録再生特性を有する光記録媒体を提供することを目的とする。
【０００９】
【課題を解決するための手段】
上述の課題を解決するために、本発明は、記録層が塗布により形成されて成り、第１のデータが記録される記録領域と、この記録領域の内周側に第２のデータによってグルーブの少なくとも一部がウォブル変調されているデータ領域とを備えている光記録媒体であって、データ領域より内周側に内周側領域を設け、この内周側領域にグルーブを形成し、少なくとも一部のグルーブに、ウォブルの有無又はウォブルの振幅量の大小によって、記録された情報信号の内容を表示する表示パターンを形成して構成する。
【００１０】
また本発明は、上述の構成による光記録媒体において、内周側領域のグルーブの表示パターンの表示部分を矩形ウォブルにより形成し、この内周側領域の表示パターンの形成されていない領域は、ウォブルのないグルーブ又は正弦波状ウォブルにより変調されたグルーブとして構成する。
【００１１】
また本発明による光記録媒体製造用スタンパは、上述の構成による光記録媒体を作製し得る構成とする。
更に本発明による光学記録方法は、上述の光記録媒体及び光記録媒体製造用スタンパを形成する方法である。
又更に本発明による光記録媒体の表示方法は、上述の構成による光記録媒体を用いて情報内容を表示するものである。
【００１２】
上述したように、本発明による光記録媒体は、記録層が塗布により形成されて成り、第１のデータが記録される記録領域と、この記録領域の内周部に第２のデータによってグルーブの少なくとも一部がウォブル変調されているデータ領域とを備えている光記録媒体であって、データ領域より内周側に内周側領域を設け、この内周側領域にグルーブを形成し、少なくとも一部のグルーブに、ウォブルの有無又はウォブルの振幅量の大小によって、記録された情報信号の内容を表示する表示パターンを形成して構成する。
【００１３】
このように、記録領域より内周側の領域において、ウォブルグルーブのウォブルの有無やウォブル振幅量の大小により、楽音信号の収録内容や製造ロットナンバー等の表示を形成できる。さらに、グルーブが形成された内周側領域を記録領域より充分に内側から開始することにより、色素材料等より成る記録層の塗り始めの際に生じる不均一部分が最内周記録部分の開始部分に含まれなくなり、最内周記録部分の記録再生特性の劣化を少なくすることができて、認識が容易で且つ記録再生特性の良好な光記録媒体を提供することができる。
【００１４】
特に本発明において、内周側領域のグルーブの表示パターンの表示部分を矩形ウォブルにより形成し、この内周側領域の表示パターンの形成されていない領域は、ウォブルのないグルーブ又は正弦波状ウォブルにより変調されたグルーブとして構成することによって、視認性に優れた明確な表示パターンを容易に形成することが出来ると共に、記録層の不均一性を確実に回避することができた。
【００１５】
【発明の実施の形態】
以下本発明による実施の形態について図面を参照して詳細に説明する。
図１は本発明による光記録媒体の一例の要部の略線的拡大平面構成を示す図である。この場合円盤状の光ディスクに本発明を適用するもので、図１において、紙面の上方向がディスク中心部、下方向が外周側である。第１のデータ、即ち例えば楽音情報や画像情報等が記録される記録領域１は外周側に設けられ、その内周側に第２のデータによってグルーブの少なくとも一部がウォブル変調されているデータ領域２が設けられる。このデータ領域２には、例えばウォブルグルーブやランドプリピットＬＰＰなどにより、アドレス情報や録音などの記録に必要な情報、いわゆるＴＯＣ（Ｔａｂｌｅ  Ｏｆ  Ｃｏｎｔｅｎｔｓ：目次情報）などが記録される。
【００１６】
そしてこのデータ領域２より内周側に内周側領域３を設け、この内周側領域３にグルーブを形成し、少なくとも一部のグルーブに、ウォブルの有無又はウォブルの振幅量の大小によって、記録された情報信号の内容を表示する表示パターン１０を形成する。この例においては、表示パターン１０が形成されないグルーブのみが設けられる領域をグルーブ領域４、表示パターン１０が形成された領域を表示領域５として示す。
尚、塗布により形成される例えば色素材料より成る記録層は、これら記録領域１、データ領域２及び内周側領域３を覆う領域に形成される。
【００１７】
例えばＤＶＤ−Ｒに本発明を適用する場合、記録領域１は例えば半径２３．９５ｍｍから５８．６ｍｍ、データ領域２は例えば半径２１．９ｍｍから２３．９５ｍｍ、内周側領域３は例えば半径１７．０ｍｍから２１．９ｍｍ、その中の表示領域５は例えば２０．０ｍｍから２０．７ｍｍの範囲に設定することができる。
【００１８】
また例えばＣＤ−Ｒに本発明を適用する場合、記録領域１は例えば半径２３ｍｍから５９ｍｍ、データ領域２は例えば半径２２．５ｍｍから２３ｍｍ、内周側領域３は例えば半径１７．０ｍｍから２２．５ｍｍ、その中の表示領域５は例えば２０．０ｍｍから２０．７ｍｍの範囲に設定することができる。
なお、この表示領域３の好適な範囲については後段の実施例において詳細に説明する。
【００１９】
図２に、一例として内周側領域３において表示パターン１０（文字Ｓ）をグルーブの有無及び矩形状ウォブルを用いて形成した場合の模式的な平面図を示す。
図７において説明した従来例とは異なり、表示パターン１０以外の部分にグルーブが形成されていることがわかる。表示パターン１０の周囲に破線を付して示す。
【００２０】
次に、このような本発明による光記録媒体の製造用スタンパ、光学記録方法についてその一例を図面を用いて説明する。
本実施の形態の一例は、ピットやグルーブを有する光ディスクの製造プロセス等において、本発明構成による所望の凹凸パターンをディスク基板の表面に転写するためのスタンパを形成するに際し、好適なピット形状やグルーブ形状を容易に形成する方法を提供するものである。
【００２１】
光ディスクの製造プロセスにおいて、各所望の凹凸パターンをディスク基板の表面に転写するためのスタンパを形成するに際し、ガラス等より成る原盤用基盤３１上にフォトレジスト等の感光層５８を被着し、この感光層５８に以下の光学記録装置により所望の凹凸パターンに対応する露光（光学記録）を行う。
【００２２】
先ず、光学記録装置の一例の構成について図３を参照して説明する。
この例においては、図３に示すように、光源２０から出射されたレーザビームをビームスプリッター２１、２２により、例えばＬＰＰ信号用の第１の露光ビームと例えばウォブルグルーブ用の第２の露光ビームに分割し、感光層５８に露光する前に偏光ビームスプリッター５３により半径方向に所定間隔をもって配置するよう同一光軸上に合成される。ウォブル信号は記録スポットを半径方向に偏向してグルーブを露光することによって、上述の本発明構成による各凹凸パターンを形成する例を示す。
【００２３】
上述したように光源２０から平行ビームのまま直進してハーフミラー２１、２２で反射された第１及び第２の露光ビームは、第１及び第２の変調光学系２４、２５に導かれる。なお、ハーフミラー２２を通過したビームは例えば受光素子２３により検出して、図示しないが電気的制御手段により強度調整を行うことができる。
第１の露光ビームは、第１の変調光学系２４において、集光レンズ２６を用いて音響光学変調器（ＡＯＭ）２７に集光され、このＡＯＭ２７により強度変調され発散したレーザ光は、レンズ２９によって平行ビームとされる。同様に第２の露光ビームは第２の変調光学系２５において、集光レンズ３０を用いて音響光学変調器（ＡＯＭ）３１に集光され、このＡＯＭ３１により強度変調され発散したレーザ光は、レンズ３３によって平行ビームとされる。各音響光学変調器２７、３１には、所定の変調信号を供給するドライバ２８、３２が取り付けられる。
【００２４】
そして、第１の変調光学系２４から出射された第１の露光ビームは、ミラー３５によって反射され、進行方向が９０°曲げられて１／２波長板３６を介して移動光学テーブル４０上に水平且つ平行に導かれる。同様に、第２の変調光学系２５から出射された第２の露光ビームは、ミラー３４によって反射され、移動光学テーブル４０上に水平且つ平行に導かれる。
【００２５】
移動光学テーブル４０上に導かれた第１の露光ビームは、偏光ビームスプリッタ（ＰＢＳ）５３に入射される。
また、第２の露光ビームは、偏向光学系４１によって光学偏向が施された上でミラー５２によって反射されて進行方向が９０°曲げられた上で偏光ビームスプリッタＰＢＳ５３に入射される。
【００２６】
ここで、偏向光学系４１は、ウォブルグルーブのウォブルに対応するように、第２の露光ビームに対して光学偏向を施す。すなわち、ウェッジプリズム４７を介して音響光学偏向器（ＡＯＤ：Ａｃｏｕｓｔｏ  Ｏｐｔｉｃａｌ  Ｄｅｆｌｅｃｔｏｒ）４８に入射され、この音響光学偏向器４８によって、所望する露光パターンに対応するように光学偏向が施される。ここで、音響光学偏向器４８に使用される音響光学素子としては、例えば、酸化テルル（ＴｅＯ２）からなる音響光学素子が好適である。そして、音響光学偏向器４８から出射された第２の露光ビームは、ウエッジプリズム４９を介して偏向光学系４１から出射される。
【００２７】
なお、ウエッジプリズム４７、音響光学偏向器４８及びウエッジプリズム４９は、音響光学偏向器４８の音響光学素子の格子面が第２の露光ビームに対してブラッグ条件を満たし、且つ、偏向光学系４１から出射される第２の露光ビームのビーム水平高さが変わらないように配置される。
【００２８】
また音響光学偏向器４８には、これを駆動するための駆動用のドライバ５０が取り付けられており、当該駆動用ドライバ５０には、電圧制御発振器（ＶＣＯ：Ｖｏｌｔａｇｅ  Ｃｏｎｔｒｏｌｌｅｄ  Ｏｓｃｉｌｌａｔｏｒ）５１からの高周波信号が、矩形の文字情報や正弦波形のクロック情報等を含む制御信号Ｓ４により信号が供給される。そして、感光層５８の露光時には、所望する露光パターンに応じた信号が、電圧制御発振器５１から駆動用ドライバ５０に入力され、当該信号に応じて駆動用ドライバ５０によって音響光学偏向器４８が駆動され、これにより、第２の露光ビームに対して光学偏向が施される。
【００２９】
例えば、内周側領域のウォブルグルーブのウォブル有無やウォブル振幅量の大小により、楽音信号の収録内容や製造ロットナンバー等の表示を形成する場合は、線速度ｖ＝３．４９ｍ／ｓ、文字の部分（例えばＳの文字）のグルーブを矩形にウォブルさせ、文字以外の部分はウォブル振幅を０として、すなわちＤＣグルーブとする。例えば、文字の部分の場合、中心周波数が２２４ＭＨｚの高周波信号を矩形の制御信号を電圧制御発振器５１から駆動用ドライバ５０に供給することにより、周波数が２２３ＭＨｚと２２５ＭＨｚの高周波信号になる。そして、この信号に応じて、駆動用ドライバ５０によって音響光学偏向器４８を駆動し、当該音響光学偏向器４８の音響光学素子のブラッグ角を変化させ、これにより、矩形のウォブルに対応するように、第２の露光ビームに対して光学偏向を施す。文字以外の部分は、制御信号がゼロのため２２４ＭＨｚの高周波信号のまま、音響光学偏向器４８の音響光学素子のブラッグ角を変化せず、光学偏向（ウォブル）しない。
このようにして、文字の部分（例えば矩形ウォブルグルーブ）と文字以外の部分（例えばＤＣグルーブ）において、光の干渉作用によって輝度に差異を生じさせ、文字を視認させるようにすることができる。
【００３０】
そして例えばデータ記録部のウォブルグルーブの記録の場合は、線速度ｖ＝３．４９ｍ／ｓ、周波数１４０．７Ｈｚのウォブルクロック信号により露光するような場合には、例えば中心周波数が２２４ＭＨｚの高周波信号を周波数１４０．７ｋＨｚの制御信号を、電圧制御発振器５１から駆動用ドライバ５０に供給する。そして、この信号に応じて、駆動用ドライバ５０によって音響光学偏向器４８を駆動し、当該音響光学偏向器４８の音響光学素子のブラッグ角を変化させ、これにより、周波数１４０．７ｋＨｚのウォブルに対応するように、第２の露光ビームに対して光学偏向を施す。
【００３１】
このようにして、偏向光学系４１により内周側領域のウォブルグルーブによる文字の部分（矩形ウォブルグルーブ）とデータ記録領域のウォブルグルーブのウォブルに対応するように光学偏向が施された第２の露光ビームは、上述したように、ミラー５２により反射されて偏光ビームスプリッタ５３に入射される。
ここで、偏光ビームスプリッタは、Ｓ偏光を反射し、Ｐ偏光を透過するようになされている。そして、第２の露光ビームをＳ偏光として偏光ビームスプリッタ５３により反射させ、第１の露光ビームをλ／２波長板３６を透過することによりＰ偏光として、偏光ビームスプリッタ５３を透過させる。これにより進行方向が同一方向となるように各ビームを再合成する。
【００３２】
この後第１及び第２の露光ビームは、拡大レンズ５４によって所定のビーム径とされた上でミラー５５によって反射されて対物レンズ５６へと導かれ、当該対物レンズ５４によって感光層５８上に集光される。これにより、感光層５８が露光され、潜像が形成される。このとき、感光層５８が塗布されているガラス基板５７は、上述したように、その全面にわたって所望のパターンでの露光がなされるように、原盤用基板５７が図中矢印ａで示すように回転駆動装置（図示せず）によって回転駆動されるとともに、移動光学テーブル４０によって各ビームが平行移動される。この結果、第１及び第２の露光ビームの照射軌跡に応じた潜像が感光層５８の全面にわたって形成されることとなる。
【００３３】
なお、第１及び第２の露光ビームの間隔は、例えばＰＢＳの角度を変えることにより感光層５８上に半径方向に配置することができ、例えば各グルーブの間のランドにピットを配置するように調整することができる。
【００３４】
このような光学記録方法を用いて、上述の本発明構成によるウォブルグルーブによる表示パターンを含む内周側領域、ウォブルグルーブとランド部のＬＰＰピットのデータ記録領域のパターン露光を行い、その後現像工程を経て本発明構成による凹凸パターンが形成された光記録媒体用原盤を製造することができる。
そしてこの凹凸パターン上に無電界メッキ法によりＮｉ等からなる導電化膜を形成し、その後、導電化膜が形成された基板５７を電鋳装置に取り付け、電気メッキ法により導電化膜上にＮｉ等からなるメッキ層を、３００±５μｍ程度の厚さとなるように形成する。その後、このメッキ層を剥離し、剥離したメッキをアセトン等を用いて洗浄し、凹凸パターンが転写された面に残存している感光層５８を除去する。
【００３５】
以上の工程により、ガラス基板５７上に形成されていた凹凸パターンが転写されたメッキからなる光記録媒体製造用スタンパを得ることができる。このスタンパには、内周側領域の例えば矩形状等のウォブルの有無又は振幅の大小により干渉強度の差を生じ、鮮明な文字が視覚できる凹凸パターン、記録領域のウォブルグルーブとＬＰＰピットのフォーマットに対応した凹凸パターンが形成された本発明構成の光記録媒体製造用スタンパを得ることができる。
【００３６】
なお、この光記録媒体製造用スタンパの一例の要部の略線的拡大平面構成を図４に示す。記録領域の内側のデータ領域２においては、ウォブルグルーブ１１及びランドプリピット１２が形成される。その内周側の内周側領域３においては、グルーブが形成されるものであるが、その一部に図示の例では矩形状ウォブルグルーブとされた表示グルーブ１５が形成され、その振幅ａの大小により表示パターンが形成された表示領域５が設けられる。そしてそれ以外の内周側領域３には、例えばウォブルのないグルーブ（ＤＣグルーブ）１４が形成される。これらグルーブパターンは例えばスパイラル状に形成されてなる。
【００３７】
また、図５に他の例の要部の略線的拡大平面構成を示すように、内周側領域３の表示グルーブ１５以外のグルーブ１４を正弦波状のウォブルグルーブとすることもできる。図５において、図４と対応する部分には同一符号を付して重複説明を省略する。
【００３８】
このようなスタンパを用いて周知の射出成形法、２Ｐ（Ｐｈｏｔｏ−Ｐｏｌｙｍｅｒｉｚａｔｉｏｎ）法等によって樹脂当より成る基板を形成し、この上に例えばアゾ色素等の色素材料より成る記録層、反射層、保護層等を順次成膜して本発明構成による光記録媒体を得ることができる。
【００３９】
【実施例】
次に、本発明による光記録媒体の実施例について比較例と共に説明する。
この例においては、上述の図３において説明した光学記録装置を用いて光記録媒体用原盤を作製した。
【００４０】
実際に光記録媒体用原盤を製造する際は、先ず、原盤工程として、先ず、表面を研磨した円盤状のガラス基板５７を洗浄し乾燥させ、その後、このガラス基板５７上に感光材料であるフォトレジスト等の感光層５８を塗布する。次に、この感光層５８を上述の光学記録装置によって露光する。
【００４１】
光源２０としては、波長λが３５１ｎｍのレーザ光を出射するＫｒレーザを使用し、第１の露光ビーム、第２の露光ビームを感光層５８上に集光するための対物レンズ５６には、開口数ＮＡが０．９のものを使用した。また、拡大レンズ５４には焦点距離が８０ｍｍのレンズを使用した。
【００４２】
また第１及び第２の変調光学系の音響光学変調器２７、３１の音響光学素子は酸化テルル（ＴｅＯ２  ）を用いた。第１の音響光学変調器２７に供給されるのはＬＰＰのアドレスピット信号である。第２の音響光学変調器３１に供給されるのは、グルーブを形成する場合は、一定レベルのＤＣ信号である。ＬＰＰのアドレス信号によって、レーザ光が強度変調（ＯＮ／ＯＦＦ）される。
【００４３】
この例においてはガラス基板５７の回転速度は、第１の露光ビームによる光スポットと感光層５８との相対的な移動速度が線速３．４９ｍ／ｓｅｃとなるようにした。そして、当該ガラス基板５７を１回転毎に０．７４μｍ（すなわちトラックピッチＴｐの分）だけ、移動光学テーブル４０によってガラス基板５７の半径方向に平行移動させた。
【００４４】
また第２の露光ビームには、第２の変調光学系２５により光強度変調を施すとともに、偏向光学系４１により光学偏向を施す。
【００４５】
上述したように、先ず、ＬＰＰのピットを形成する場合は、ドライバ３２からＬＰＰ信号に対応する信号を音響光学変調器２７に入力して第１の露光ビームを変調し、ウォブルグルーブ（矩形のウォブル、正弦波形ウォブル）とＤＣグルーブを形成する場合は、第２の露光ビームに一定レベルのＤＣ信号をドライバ３２から音響光学変調器３１に入力して第２の露光ビームを変調する。ここで、ウォブルグルーブ、ＤＣグルーブは一定の深さの連続した溝であるので、ウォブルグルーブ、ＤＣグルーブに対応した潜像を形成している間は、第２の露光ビームの光強度が一定となるように光強度変調を施す。
【００４６】
次いで、第２の変調光学系２５によって光強度変調が施された第２の露光ビームに対して、偏向光学系４１により光学偏向を施す。この例においては、中心周波数２２４ＭＨｚの高周波信号を矩形信号（表示グルーブ）とゼロ（表示グルーブ以外）の制御信号にて変調し、データ記録領域のウォブルグルーブを形成する場合は、中心周波数２２４ＭＨｚの高周波信号を周波数１４０．７ｋＨｚの正弦波形の制御信号にて変調して、電圧制御発振器５１から駆動用ドライバ５０に供給した。そして、この信号に基づいて、駆動用ドライバ５０によって音響光学偏向器４８を駆動し、当該音響光学偏向器４８の音響光学素子のブラッグ角を変化させ、これにより、感光層５８上に集光される第２の露光ビームの光スポットの位置が、文字等の表示パターンは矩形で，振幅±２００ｎｍ程度にて光学偏向し文字以外の部分は光学偏向しない。データ記録部は周波数１４０．７ｋＨｚ、振幅±１０ｎｍにて、原盤用基板５７の半径方向に正弦波形で振動するように光学偏向を行った。
【００４７】
なお、このように感光層５８を露光して、文字の部分（矩形ウォブル振幅±２００ｎｍ）を含む内周側ウォブルグルーブ、データ記録部の１４０．７ｋＨｚのＳｉｎウォブルグルーブに対応した潜像を形成する際は、感光層５８が塗布されているガラス基板５７を、所定の回転速度にて回転駆動させるとともに、所定の速度にて平行移動させる。
具体的には、後述する評価用ＤＶＤ−Ｒディスクを作製する際、ガラス基板５７の回転速度は、第１及び第２の露光ビームによる光スポットと感光層５８との相対的な移動速度が線速３．４９ｍ／ｓｅｃとなるようにした。そして、当該ガラス基板５７を１回転毎に０．７４μｍ（トラックピッチ）だけ、移動光学テーブルによってガラス基板５７の半径方向に平行移動させた。
なお、このように第１及び第２の露光ビームによって感光層５８を露光する際は、駆動用ドライバに入力するレベルを調整して、ＬＰＰピットを記録する第１の露光ビームのパワーは１．０ｍＷ、ウォブルグルーブを記録する第２の露光ビームのパワーは０．８ｍＷ程度とした。これにより、ウォブルグルーブの幅３１０ｎｍ程度、ＬＰＰピットの幅は２８０ｎｍ程度となる。
【００４８】
内周側ウォブルグルーブの開始半径は、従来は、２１．９ｍｍであるが、本実施例においては、内周側領域の最内周を半径１９．９ｍｍ、１７．９ｍｍ、１５．９ｍｍ、１３．９ｍｍの位置として作製した。
【００４９】
そして、以上のようにして感光層５８に潜像を形成した後、感光層５８が塗布されている面が上面となるように、原盤用基板５７を現像機のターンテーブル上に載置する。そして、当該ターンテーブルを回転させることにより原盤用基板５７を回転させながら、感光層５８上に現像液を滴下して現像処理を施して、原盤用基板５７上に所望の凹凸パターンを形成した。
【００５０】
次に、上述の鍍金工程により、３００±５μｍ程度の厚さの鍍金層を形成して剥離し、剥離したメッキをアセトン等を用いて洗浄し、凹凸パターンが転写された面に残存している感光層５８を除去して本実施例におけるスタンパを作製した。
【００５１】
次に、転写工程として、上記スタンパからポリカーボネートの透明樹脂を用いて射出成形によって光記録媒体用の基板を作製した。
この基板上に、記録層（アゾ系色素）を、下記化１で表されるアゾ系色素を用いて形成した。
記録層材料は、下記化１で示すアゾ系色素１重量部を、ジブチルエーテル２０重量部に溶解した。
【００５２】
【化１】
2005011450.tif 000003
【００５３】
尚、上記化１中、Ｘ１、Ｘ２は各々独立にハロゲン原子、ニトロ基、シアノ基、水素原子を表わし、Ｘ１、Ｘ２が同時にハロゲン原子または水素原子となることはない。また、Ｒ１〜Ｒ３は水素原子または総炭素数１〜２０の置換または未置換のアルキル基、Ｒ４は総炭素数５〜２０の置換または未置換のアルキル基を表わし、Ｒ１とＲ２またはＲ２とＲ３は連結基を介して環を形成しても良い。
【００５４】
そしてこの記録層材料を、ウォブルされている内周側領域より０．５〜１．０ｍｍ内側から塗り始めた。具体的には、上記溶解液を滴下してスピンコート法でディスクを回転させ、ディスク面内で記録層を均一に塗布し、膜厚６０ｎｍを得た。次に、ＡｇまたはＡｇ合金等、この例においてはＡｇＮｄＣｕ合金による光反射層をスパッタリング（高周波スパッタ装置により、１×１０−４Ｐａの真空度に到達した後、Ａｒ雰囲気１〜３Ｐａ中で、電力２．５ｋＷとしてスパッタを行った）によって成膜し、膜厚１２０ｎｍのＡｇＮｄＣｕより成る光反射層を形成した。更に、この光反射層上に紫外線硬化樹脂をスピンコート法により塗布し、当該紫外線硬化樹脂に対して紫外線を照射し硬化させることにより、膜厚１０μｍの保護層を形成した。
以上の工程により、本発明構成によるＤＶＤ−Ｒに適用して好適な光記録媒体の各例を作製した。
【００５５】
次に、上記比較例及び各実施例によるスタンパを走査型電子顕微鏡（ＳＥＭ：Ｓｃａｎｎｉｎｇ  Ｅｌｅｃｔｒｏｎ  Ｍｉｃｒｏｓｃｏｐｅ）により観察してその幅及び振幅を測定したところ、表示パターンの矩形ウォブルグルーブの幅は３０７ｎｍ、矩形ウォブル振幅は、±５２ｎｍ、±１０８ｎｍ、±１６０ｎｍ、±２９５ｎｍであった。表示パターン以外のところは、ＤＣグルーブまたは±１０ｎｍの１４０．７ｋＨｚの正弦波形ウォブルグルーブを用いた。正弦波形ウォブルグルーブの幅は３１０ｎｍであった。
以下の表１に比較例及び各実施例１〜４における内周側領域の構成、即ち開始半径Ｒ（ｍｍ）、矩形ウォブル振幅ａ（ｎｍ）、表示パターン以外のグルーブの形状を記す。
【００５６】
【表１】
2005011450.tif 000004
【００５７】
次に、上述のような製造方法にて上記スタンパＡ、スタンパＢ、スタンパＣ、スタンパＤ、スタンパＥを用いて光記録媒体Ａ、Ｂ、Ｃ、Ｄ及びＥを作製し、それらの評価を行った結果について説明する。評価機として、レーザ波長λ；６６０ｎｍ、対物レンズの開口数ＮＡ；０．６０の光ピックアップを用いて、以上のように作製した各光記録媒体について、記録領域の最内周位置（Ｒ＝２４ｍｍ）と中周位置（Ｒ＝４０ｍｍ）の記録再生特性である記録ジッタ−を評価した。
【００５８】
【表２】
2005011450.tif 000005
【００５９】
この表２の結果からわかるように、比較例である光記録媒体Ａ以外の本発明構成による光記録媒体Ｂ〜Ｅにおいて、Ｒ＝２４ｍｍとＲ＝４０ｍｍの記録再生特性である記録ジッタ−は８．０％未満で規格を満たし、良好な記録再生特性が得られた。これは、上記ウォブルされている内周側領域を記録領域より充分に内側から開始することにより、記録層の塗り始めの際に生じる不均一部分が最内周記録部分の開始部分に含まれなくなり、最内周記録部分の記録再生特性の劣化を少なくすることができるためである。つまり、最内周記録部分（２４．０ｍｍ）より、内周側領域開始半径が４．１ｍｍ以上１０．１ｍｍ以下内側とされる場合、良好な記録再生特性が得られた。
【００６０】
さらに、すべての光ディスクの表示パターンの文字が鮮明に認識できた。文字以外のところは、ＤＣグルーブまたは±１０ｎｍの１４０．７ｋＨｚのＳｉｎ波形ウォブルグルーブであった。
つまり、各実施例の文字部の矩形ウォブルグルーブの矩形ウォブル振幅ａがそれぞれ±５２ｎｍ、±１０８ｎｍ、±１６０ｎｍ、±２９５ｎｍであり、トラックピッチＴｐが７４０ｎｍであることから、最小振幅側で
ａ／Ｔｐ＝±５２ｎｍ／７４０ｎｍ＝７．０２％
また最大振幅側で
ａ／Ｔｐ＝±２９５ｎｍ／７４０ｎｍ＝３９．９％
であり、この範囲、すなわち
ａ／Ｔｐ＝７．０２〜３９．９％
の場合、文字が鮮明に認識できることがわかる。
【００６１】
また、表示パターンの矩形ウォブルグルーブの矩形ウォブル振幅の最小値は±５２ｎｍ、それ以外の部分を正弦波形ウォブルグルーブとする場合は、その最大振幅値は±１０ｎｍである。
従って、表示パターンの矩形ウォブル振幅とその他のグルーブを正弦波状とする場合の振幅との比は、５２／１０＝５．２、すなわち５．２倍以上であれば、文字が鮮明に認識できることがわかる。
【００６２】
上述したように本発明は、内周側領域をウォブルされているデータ領域、更には記録領域より充分に内側から開始することにより、最内周記録部分の記録再生特性の劣化を少なくすることができ、またこの内周側領域に矩形状等のウォブルグルーブによる表示領域を設けると共にこの表示領域以外は、ＤＣグルーブまたは正弦波形ウォブルグルーブを設けることによって、文字が鮮明に認識でき、且つ記録再生特性の変動、低下を抑制することができる。また、上述の各実施例においてＬＰＰのアドレスピットの再生も充分に行えた。
【００６３】
なお、本発明は、アゾ色素以外の色素記録膜や他のスピンコートで塗布する記録膜などの光記録媒体、並びにその製造に使用される光記録媒体製造用原盤に対して広く適用可能である。
【００６４】
また本発明は、上述した光学的記録方法または光学的記録装置のみならず、信号記録システムまたは装置、あるいは両方の機能を有するシステムまたは装置にも適用可能である。
【００６５】
【発明の効果】
上述したように本発明によれば、記録層が塗布により形成されて成り、第１のデータが記録される記録領域と、この記録領域の内周側に第２のデータによってグルーブの少なくとも一部がウォブル変調されているデータ領域とを備えるとともに、データ領域より内周側に内周側領域を設けてグルーブを形成し、少なくとも一部のグルーブに、ウォブルの有無又はウォブルの振幅量の大小によって、記録された情報信号の内容を表示する表示パターンを形成することによって、視認性に優れて確認が容易であり、且つ記録再生特性の良好な光記録媒体を提供することができる。
【００６６】
また本発明において、内周側領域のグルーブの表示パターンの表示部分を矩形ウォブルにより形成し、この表示パターンの形成されていない領域に、ウォブルのないグルーブ又は正弦波状ウォブルにより変調されたグルーブを設けることによって、確実に記録再生特性が良好で、且つ情報内容の確認の容易な光記録媒体を提供することができる。
【００６７】
更に上述の各構成による光記録媒体において、内周側領域のグルーブの表示パターンの表示部分を矩形ウォブルにより形成し、その振幅ａとグルーブのトラックピッチＴｐとの比ａ／Ｔｐを、７．０２以上３９．９以下とすることによって、確実に鮮明なパターンの表示パターンを形成することができる。
【００６８】
また上述の各構成による光記録媒体において、内周側領域のグルーブの表示パターンの表示部分を矩形ウォブルにより形成し、表示パターンの形成されていない領域は正弦波状ウォブルに変調されたグルーブとして、矩形波の振幅ａと正弦波の振幅ｂとの比ａ／ｂを、５．２倍以上とすることによって、鮮明な視認性に優れた表示パターンを形成することができる。
【００６９】
更に上述の各構成による光記録媒体において、内周側領域のグルーブの開始半径を、記録領域の最内周記録部分より４．１ｍｍ以上１０．１ｍｍ以下内側とすることによって、記録層の塗布を良好にして確実に均一性に優れた記録層を構成し、記録再生特性が内周側から外周側にわたって良好な光記録媒体を得ることができる。
【００７０】
更に本発明による光記録媒体製造用スタンパ及び光学記録方法を用いて光記録媒体を作製することによって、記録情報の確認が容易であり、且つ記録層の塗布むらのない記録再生特性の良好な光記録媒体を製造することができる。
【００７１】
また本発明による光記録媒体の表示方法によれば、記録情報の確認が容易であり、且つ記録再生特性の良好な光記録媒体を提供することができる。
【図面の簡単な説明】
【図１】光記録媒体の一例の要部の略線的拡大平面構成を示す図である。
【図２】光記録媒体の一例の要部の略線的拡大平面構成を示す図である。
【図３】光学記録装置の一例の概略構成図である。
【図４】光記録媒体製造用スタンパの要部の略線的拡大平面構成を示す図である。
【図５】光記録媒体製造用スタンパの要部の略線的拡大平面構成を示す図である。
【図６】従来の光記録媒体の一例の略線的拡大平面構成図である。
【図７】従来の光記録媒体の一例の略線的拡大平面構成図である。
【符号の説明】
１  記録領域、２  データ領域、３  内周側領域、４  グルーブ領域、５  表示領域、１０  表示パターン、１１  ウォブルグルーブ、１２  ランドプリピット、１４  グルーブ、１５  表示グルーブ、２０  光源、２１  ハーフミラー、２２  ハーフミラー、２３  受光素子、２４  第１の変調光学系、２５  第２の変調光学系、２６  光学レンズ、２７  音響光学変調器、２８  ドライバ、２９  光学レンズ、３０  光学レンズ、３１  音響光学変調器、３２  ドライバ、３３光学レンズ、３４  ミラー、３５  ミラー、３６  １／２波長板、４０  移動光学テーブル、４１  偏向光学系、４７  ウェッジプリズム、４８  音響光学偏向器（ＡＯＤ）、４９  ウェッジプリズム、５０  ドライバ、５１  電圧周波数制御器（ＶＣＯ）、５２  ミラー、５３  偏光ビームスプリッタ（ＰＢＳ）、５４  拡大レンズ、５５  ミラー、５６  光学レンズ、５７  原盤用基板、５８  感光層、６０  干渉ピット
【図１】
2005011450.tif 000006
【図２】
2005011450.tif 000007
【図３】
2005011450.tif 000008
【図４】
2005011450.tif 000009
【図５】
2005011450.tif 000010
【図６】
2005011450.tif 000011
【図７】
2005011450.tif 000012